(57)【要約】【課題】生体情報取得部に光が当ることで顧客の生体情報が認識できないあるいは誤認識してしまうことを防止するための手段を提供する。【解決手段】カードリーダライタ部と、生体情報取得部６とを備え、生体情報取得部６におかれた指を覆うことが可能な遮光カバー２０を備え、顧客の取引カードから読み取った指静脈情報と、生体情報取得部６から取得した指静脈情報とが一致しなかった場合、遮光カバー２０により光を遮断して、再度生体情報取得部６によって指静脈情報を取得することを特徴とする。【選択図】図３
2009075935.tif 000002
【特許請求の範囲】
【請求項１】
顧客の取引カードの読み取りを行うカードリーダ部と、顧客の指から生体情報を取得する生体情報取得部とを備えた自動取引装置において、
前記生体情報取得部におかれた指を覆うことが可能な遮光カバーを備え、
顧客の取引カードから読み取った生体情報と、前記生体情報取得部から取得した生体情報とが一致しなかった場合、前記遮光カバーにより光を遮断して、再度生体情報取得部によって顧客の生体情報を取得することを特徴とする自動取引装置。
【請求項２】
請求項１に記載の自動取引装置において、
前記遮光カバーは、伸縮可能な遮光材を備え、
前記遮光材が前記生体情報取得部上に伸びるように前記遮光カバーを引き出すことで、前記生体情報取得部への光を遮断することを特徴とする自動取引装置。
【請求項３】
請求項１に記載の自動取引装置において、
前記遮光カバーは、前記生体情報取得部に対向する位置に配する偏光板と、該偏光板に重ねて偏光回転板とを有し、
前記偏光回転板を回転させて、前記生体情報取得部への光を遮断することを特徴とする自動取引装置。
【請求項４】
請求項３に記載の自動取引装置において、
前記偏光板と前記偏光回転板の前記生体情報取得部への光を遮断する箇所周辺に、光を透過する透過部を設け、
前記生体情報取得部で生体情報を取得するときに、顧客に指の位置を該透過部から視認させることを特徴とする自動取引装置。
【請求項５】
請求項１に記載の自動取引装置において、
前記遮光カバーは、前記生体情報取得部に対向する位置に配されて、前記生体情報取得部への光を遮断する液晶板とすることを特徴とする自動取引装置。
【請求項６】
請求項５に記載の自動取引装置において、
前記液晶板で光を遮断する範囲を、前記生体情報取得部に該当する範囲のみとなるように制御することを特徴とする自動取引装置。
【請求項７】
請求項１から請求項５、または請求項６に記載の自動取引装置において、
表示部を備え、
前記遮光カバーによって光を遮断して、前記生体情報取得部で生体情報を取得するとき、顧客の生体情報を取得する旨の案内を前記表示部に表示することを特徴とする自動取引装置。
【発明の詳細な説明】
【技術分野】
【０００１】
本発明は、生体情報によって取引を行う顧客を確認する自動取引装置に関する。
【背景技術】
【０００２】
従来の顧客認証装置を備えた自動取引装置は、顧客が指紋読取装置に置いた指から指紋情報を取得し、顧客の取引カードに予め記憶されている登録指紋情報を読み取り、上記の指紋情報と登録指紋情報とを比較することで顧客本人の指紋であることを確認し、次に顧客に暗証番号を入力させてその入力された暗証番号をホストコンピュータに送信し、ホストコンピュータでの暗証番号の照合結果を受け取ることによって顧客認証を行っている（例えば、特許文献１参照。）。
【特許文献１】特開２００２−１３３４９１号公報（段落「００１４」−「００１６」）
【発明の開示】
【発明が解決しようとする課題】
【０００３】
しかしながら、上述した従来の技術においては、指紋読取装置の指紋を読取面が露出している場合があり、そのような場合に自然光や金融機関の店舗内の照明によって顧客の指紋を認識できないことや、誤認識してしまうという問題がある。
そのため、読取面を常時カバー等によって遮光することが考えられているが、そのようにすると顧客は見えない場所に指を伸ばすこととなり、顧客に違和感を与えてしまうという問題がある。
【０００４】
本発明は、上記の問題点を解決するための手段を提供することを目的とする。
【課題を解決するための手段】
【０００５】
本発明は、上記課題を解決するために、顧客の取引カードの読み取りを行うカードリーダ部と、顧客の指から生体情報を取得する生体情報取得部とを備えた自動取引装置において、前記生体情報取得部におかれた指を覆うことが可能な遮光カバーを備え、顧客の取引カードから読み取った生体情報と、前記生体情報取得部から取得した生体情報とが一致しなかった場合、前記遮光カバーにより光を遮断して、再度生体情報取得部によって顧客の生体情報を取得することを特徴とする。
【発明の効果】
【０００６】
これにより、本発明は、生体情報取得部に光が当ることによって顧客の生体情報を誤認識してしまうことを防止して、確実に顧客から生体情報を取得することができるという効果が得られる。
【発明を実施するための最良の形態】
【０００７】
以下に、図面を参照して本発明による自動取引装置の実施例について説明する。
【実施例１】
【０００８】
図１は実施例１の自動取引装置を含む自動取引システムを示すブロック図、図２は実施例１の自動取引装置を示す外観図である。
図１、図２において、１は自動取引装置である。
２は制御部であり、記憶部４に格納されている制御プログラムに基づいて、自動取引装置１の各部の動作を制御して各種の取引を遂行する機能を有する他、通信部３によって通信回線１７を介してホストコンピュータ１５と通信可能に接続する。
【０００９】
４は記憶部であり、制御部２による処理結果等を記憶する他、指静脈情報を用いる顧客認証でのエラー回数を記憶して、そのエラー回数の閾値（例えば３回）を格納する機能を有する。
５は表示操作部であり、自動取引装置１正面の接客面に露出させて設けられており、表示面を上に向けたＣＲＴディスプレイまたは液晶ディスプレイ等の表示部と、表示部上に配置したタッチパネル等の入力部により構成され、各種取引における顧客の操作を誘導するメッセージを配した画面やそのための入力キーを表示し、その入力キーをタッチパネル上から指で押下することにより、入力キーに定義された情報を入力できるものとなっており、入力された情報の表示等も行うようになっている。
【００１０】
６は生体情報取得部であり、その上に置かれた顧客の指から指静脈情報（生体情報）を取得する機能を有しており、前記接客面に設けられている。
７は現金入出金部であり、取引に伴う現金の入出金処理を行うもので、紙幣を取扱う紙幣入出金機と硬貨を取扱う硬貨入出金機により構成され、その紙幣入出金口と硬貨出金口は前記接客面に設けられている。
【００１１】
９はカードリーダライタ部であり、顧客のＩＣカード（取引カード）のＩＣチップに記録されているカード情報の読取及び書込みを行う機能を有する他、顧客との取引結果を明細票に印刷する機能を有し、そのカード挿入返却口および明細票印刷口は前記接客面に設けられている。
カード情報には、顧客氏名と金融機関コード、支店コード、口座番号、顧客が口座開設の際に登録した登録指静脈情報（登録生体情報）等が含まれる。
【００１２】
１０は通帳記帳部であり、顧客の通帳に設けられた磁気ストライプに対してデータの読取及び書込みを行う機能を有すると共に取引内容等を顧客の通帳に記帳する機能を有し、その通帳挿入返却口は前記接客面に設けられている。
１５はホストコンピュータであり、金融機関のセンタに設置されており、顧客の口座の口座番号や口座残高等の顧客情報を保有して顧客の口座を管理する。
【００１３】
ここで、図３は生体情報取得部の遮光カバーを示す説明図であり、（ａ）は接客面の表面から退避して収納した様子を示し、（ｂ）は引出して外部に露出している様子を示している。
２０は遮光カバーであり、樹脂材料等で製作されており、図３（ｂ）に示すように、自動取引装置１正面から見て生体情報取得部６の左右両側に配される扇形の側板２０ａと、２枚の側板２０ａ間に配され、生体情報取得部６上に伸びる上板２０ｂ（遮光材）とを備え、生体情報取得部６におかれた顧客の指を覆うことが可能に構成される。
【００１４】
上記の側板２０ａは扇状に折り重なって畳まれるように構成され、その側板２０ａの形状に合わせて上板２０ｂは蛇腹状に伸縮可能に構成される。
このように側板２０ａと上板２０ｂの構成に加え、自動取引装置１の接客面に切り欠きを設けることによって、遮光カバー２０は自動取引装置１内に収納され、かつ略垂直の位置まで引き出すことで、生体情報取得部６への照明等の光の透過、遮断を切り替えるように機能する。
【００１５】
２１はカバー開閉検知センサであり、例えば光学式のセンサであって、遮光カバー２０が引出された際に発光部からの光を受光部で受光するようにする等のように構成することで遮光カバー２０の開閉を検知する機能を有する。
なお、側板２０ａの根本に扇形部材がついており、遮光カバー２０が収納されたときに、扇形部材が自動取引装置１内部に入り込んで、カバー開閉検知センサ２１が扇形部材を検知することで遮光カバー２０が閉じていることを確認できるようになっている。
【００１６】
上述した構成の作用について、図４に示す実施例１の自動取引装置の動作を示すフローチャートを用い、Ｓで示すステップに従って説明する。
Ｓ１、自動取引装置１の制御部２は、表示操作部５に出金取引等の取引選択ボタンを配した取引選択画面を表示する。
Ｓ２、顧客が取引選択画面で出金取引の取引選択ボタンを押下すると、制御部２はその押下を認識して、表示操作部５にＩＣカードの挿入を促す文言やイラスト等を配した画面を表示する。
【００１７】
また、制御部２は記憶部４に記憶しているエラー回数をリセットして初期値の「０」にする。
顧客は、表示されている画面に従ってＩＣカードをカードリーダライタ部９のカード挿入返却口に挿入する。
Ｓ３、カードリーダライタ部９がＩＣカードから登録指静脈情報を読み取ると、制御部２はその登録指静脈情報を記憶部４に記憶し、表示操作部５に生体情報取得部６に指を載せるように促す画面を表示する。
【００１８】
Ｓ４、生体情報取得部６が載せられた顧客の指から指静脈情報を取得すると、制御部２は記憶部４から登録指静脈情報を読み出し、登録指静脈情報と取得した指静脈情報とを比較して一定以上の割合で一致しているか否かを判断し、一致している場合はステップＳ５に進み、一致していない場合はステップＳ７に移行する。
Ｓ５、制御部２は、一致していると判断すると、表示操作部５に出金金額の入力を促す画面と入力のためのテンキー、出金金額入力欄等を配した出金金額入力画面を表示する。
【００１９】
顧客は出金金額入力画面に従って出金金額を入力する。
Ｓ６、制御部２は、挿入されているＩＣカードから口座番号を読み取り、その口座番号と入力された出金金額とを付した出金取引指示をホストコンピュータ１５に送信することで、出金取引処理を通常通りに実行して終了する。
Ｓ７、制御部２は、指静脈情報が登録指静脈情報と一致していないと判断すると、記憶部４に記憶したエラー回数と閾値を読み出し、エラー回数が閾値未満であるか否かを判断し、閾値未満の場合は次のステップＳ８に進み、エラー回数が閾値である場合はステップＳ９に移行する。
【００２０】
Ｓ８、制御部２は、エラー回数に１を加算して表示操作部５に生体情報取得部６に指を載せるように促す画面を表示し、上記ステップＳ４に戻り再度指静脈情報と登録指静脈情報とが一致しているか否かを判断する。
Ｓ９、エラー回数が閾値と同じであると判断した制御部２は、表示操作部５に遮光カバー１５を引出すように促す旨の文字や動画、静止画等の画面を表示し、カバー開閉検知センサ２１によって顧客が遮光カバー２０を引出したことを確認すると、再度生体情報取得部６に指を載せるように促す画面を表示する。
【００２１】
Ｓ１０、生体情報取得部６が載せられた顧客の指から指静脈情報を取得すると、制御部２はその指静脈情報と上記で読み出している登録指静脈情報とを比較して一定以上の割合で一致しているか否かを判断し、一致している場合は次のステップＳ１１に進み、一致していない場合はステップＳ１２に進む。
Ｓ１１、制御部２は、表示操作部５に遮光カバー２０の収納を促す画面を表示し、カバー開閉検知センサ２１によって遮光カバー２０の収納を確認してから、上記ステップＳ５に移行して表示操作部５に出金金額入力画面を表示する。
【００２２】
Ｓ１２、制御部２は、表示操作部５に遮光カバー２０の収納を促す画面を表示し、カバー開閉検知センサ２１によって遮光カバー２０の収納を確認してから、表示操作部５に顧客認証不可のため出金取引を中止する旨の画面を表示し、挿入された顧客のＩＣカードを返却して出金取引を終了する。
以上説明したように、本実施例では、顧客の指静脈情報と登録指静脈情報とが一致しなかった場合に、顧客に遮光カバーを引出させて再度指静脈情報と登録指静脈情報との一致の有無を確認するため、その遮光カバーで外光を遮断した状態で指静脈情報を取得できるので外光が要因となって正確な指静脈情報が取得できず、顧客認証不可となってしまうことを防止できる。
【００２３】
また、遮光カバーは普段は収納された状態で生体情報取得部から退避しているので、顧客にとっては見えない場所に指を伸ばすことがないので、顧客に違和感を与えることが無い。
なお、上記実施例１においては、遮光カバーを引出す旨の画面を表示操作部で表示して顧客に知らせるようにしたが、これに限らず音声案内によって知らせるようにしてもよくその場合は自動取引装置に音声出力のスピーカを設けるようにすればよい。
【実施例２】
【００２４】
本実施例の自動取引装置１の内、上記実施例１と同様の部分は、同一の符号を付してその説明を省略する。
また本実施例は、遮光カバー２０に顧客の手に依らず自動で引き出し、収納を行うための図示しない駆動機構が設けられている点が上記実施例１と相違する。
上記の構成の作用について図５に示す実施例２の自動取引装置の動作を示すフローチャートを用い、ＳＡで示すステップに従って説明する。
【００２５】
ＳＡ１、自動取引装置１の制御部２は、表示操作部５に出金取引等の取引選択ボタンを配した取引選択画面を表示する。
ＳＡ２、顧客が取引選択画面で出金取引の取引選択ボタンを押下すると、制御部２はその押下を認識して、表示操作部５にＩＣカードの挿入を促す文言やイラスト等を配した画面を表示する。
【００２６】
また、制御部２は記憶部４に記憶しているエラー回数をリセットして初期値の「０」にする。
顧客は、表示されている画面に従ってＩＣカードをカードリーダライタ部９のカード挿入返却口に挿入する。
ＳＡ３、カードリーダライタ部９がＩＣカードから登録指静脈情報を読み取ると、制御部２はその登録指静脈情報を記憶部４に記憶し、表示操作部５に生体情報取得部６に指を載せるように促す画面を表示する。
【００２７】
ＳＡ４、生体情報取得部６が載せられた顧客の指から指静脈情報を取得すると、制御部２は記憶部４から登録指静脈情報を読み出し、登録指静脈情報と取得した指静脈情報とを比較して一定以上の割合で一致しているか否かを判断し、一致している場合はステップＳＡ５に進み、一致していない場合はステップＳＡ７に移行する。
ＳＡ５、制御部２は、一致していると判断すると、表示操作部５に出金金額の入力を促す画面と入力のためのテンキー、出金金額入力欄等を配した出金金額入力画面を表示する。
【００２８】
顧客は出金金額入力画面に従って出金金額を入力する。
ＳＡ６、制御部２は、挿入されているＩＣカードから口座番号を読み取り、その口座番号と入力された出金金額とを付した出金取引指示をホストコンピュータ１５に送信することで、出金取引処理を通常通りに実行して終了する。
ＳＡ７、制御部２は、指静脈情報が登録指静脈情報と一致していないと判断すると、記憶部４に記憶したエラー回数と閾値を読み出し、エラー回数が閾値未満であるか否かを判断し、閾値未満の場合は次のステップＳＡ８に進み、エラー回数が閾値である場合はステップＳＡ９に移行する。
【００２９】
ＳＡ８、制御部２は、エラー回数に１を加算して表示操作部５に生体情報取得部６に指を載せるように促す画面を表示し、上記ステップＳＡ４に戻り再度指静脈情報と登録指静脈情報とが一致しているか否かを判断する。
ＳＡ９、エラー回数が閾値と同じであると判断した制御部２は、図示しない駆動機構によって遮光カバー１５を引出してカバー開閉検知センサ２１に遮光カバー２０を引出したことを確認すると、表示操作部５に再度生体情報取得部６に指を載せるように促す画面を表示する。
【００３０】
ＳＡ１０、生体情報取得部６が載せられた顧客の指から指静脈情報を取得すると、制御部２はその指静脈情報と上記で読み出している登録指静脈情報とを比較して一定以上の割合で一致しているか否かを判断し、一致している場合は次のステップＳＡ１１に進み、一致していない場合はステップＳＡ１２に進む。
ＳＡ１１、制御部２は、遮光カバー２０を収納するように動作させ、カバー開閉検知センサ２１によって遮光カバー２０の収納を確認して、上記ステップＳＡ５に移行して表示操作部５に出金金額入力画面を表示する。
【００３１】
ＳＡ１２、制御部２は、遮光カバー２０を収納するように動作させ、カバー開閉検知センサ２１によって遮光カバー２０の収納を確認して、表示操作部５に顧客認証不可のため出金取引を中止する旨の画面を表示し、挿入された顧客のＩＣカードを返却して出金取引を終了する。
以上説明したように、本実施例では、上記実施例１の効果に加えて、駆動機構によって遮光カバーを動作させるようにしたので、顧客にとっての煩わしさを低減することができる。
【実施例３】
【００３２】
本実施例は上記各実施例に対して、偏光板部３１を備える遮光カバー３０を設けた点が相違する。
図６は実施例３の遮光カバーを示す説明図、図７は回転検出機構を示す説明図である。
図６において、遮光カバー３０は、自動取引装置１正面から見て生体情報取得部６の左右両側に配した側板３０ａと、２枚の側板３０ａ間に配されて生体情報主頭部６の上方に位置し、一定方向の光を透す偏光板部３１とによって構成される。
【００３３】
偏光板部３１は、偏光板３１ａと、その偏光板３１ａに重ねるように取り付けて偏光板３１ａの面と平行に回転する偏光回転板３２とによって成る。
そして、偏光回転板３２をその透す光の方向が偏光板３１ａと同じ方向となる位置まで回転させたときに、自動取引装置１の正面に立つ顧客は偏光板部３１を透して生体情報取得部６が見えるようになり、その状態から偏光回転板３２を略９０度回転させることにより偏光板３１ａに光が透過せず、顧客からは生体情報取得部６が見えなくなる。
【００３４】
また偏光回転板３２には、顧客の手により回転させるためのつまみと、光が透過する初期位置と初期位置から略９０度回転させた遮光位置を示す印が設けられているものとする。
図７において、３３は回転検出機構であり、偏光回転板３２と噛み合う歯車部３４と、その歯車部３４と同軸上でさらに下方に取り付けられた一部にスリットを備えた回転検出歯車３５、回転検出歯車３５のスリットに光が透ることで回転検出歯車３５および歯車３４の回転量を検出する回転検出センサ３６等によって構成される。
【００３５】
３７は仕切り板であり、生体情報取得部６に指を載せる顧客が回転検出機構３３に触れてしまうのを防ぐための板である。
上述した構成の作用について説明する。
ここで、図８は偏光板部による遮光の様子を示す説明図であり、（ａ）は偏光回転板が初期位置での様子を示し、（ｂ）は偏光回転板を初期位置から略９０度回転させた様子を示している。
【００３６】
偏光板部３０は、取引を行っていないときには、図８（ａ）に示すように生体情報取得部６が顧客から見える状態となっており、その状態での偏光回転板３２の位置を初期位置として定めている。
本実施例では、上記実施例１の図４のステップＳ９に示す遮光カバー１５を引出すように促す画面を表示する代わりに、制御部２は生体情報取得部６に光が入らないように偏光回転板３２を回転させるように促す画面を表示し、回転検出センサ３６によって偏光回転板３２が回転したことを確認して、再度生体情報取得部６に指を載せるように促す画面を表示する。
【００３７】
このときの偏光板部３０は遮光するように機能して、図８（ｂ）に示すように生体情報取得部６が顧客から見えないようなる。
そして、顧客との取引を終了する前に、制御部２は偏光回転板３２を初期位置に戻すように促す旨の画面を表示するようにする。
以上説明したように、本実施例では、偏光板部によって外光を遮断することができるので、指静脈情報を取得したときに外光が要因となって正確な指静脈情報が取得できずに、顧客認証が不可となってしまうことを防止することができる。
【００３８】
また、偏光回転板が初期位置のときには顧客は生体情報取得部を見ることができるので、顧客にとっては見えない場所に指を伸ばすことがないので、顧客に違和感を与えることが無い。
なお、上記実施例３においては、偏光回転板を顧客の手動によって回転させるものとして説明したが、モータ等の駆動源を設けてそれによって回転させるようにしてもよく、その場合は例えば、駆動源によって回転検出機構３３の歯車３４の回転軸を回転させて偏光回転板３２を回転させるようにすればよく、この時に回転検出センサ３６によって回転検出歯車３５の回転量を監視することで偏光回転板３２を初期位置と遮光する位置とで止まるように回転を調節するようにする。
【００３９】
このようにすることによって、上記実施例３の効果に加えて、顧客にとっての偏光回転板を回転させる煩わしさを低減することができる。
【実施例４】
【００４０】
なお、上記各実施例と同様の部分は同一の符号を付してその説明を省略する。
図９は実施例４の遮光カバーを示す説明図である。
本実施例の偏光板部３１は、生体情報取得部６の上方に当たる箇所の周囲を透明材で形成した透過部４０を備える点が上記実施例３と相違する。
そのため、偏光板３１ａと偏光回転板３２は透過部４０に該当する箇所が透明材となっている。
【００４１】
図９において、透過部４０は、生体情報取得部６に顧客が指を載せて偏光板部３１を真上から見たときに、指先全体が生体情報取得部６からずれているか否かを顧客が視認できる程度の大きさに形成されているものとする。
上述した構成の作用について、図１０に示す実施例４の自動取引装置の動作を示すフローチャートを用いてＳＢで示すステップに従って説明する。
【００４２】
ＳＢ１、自動取引装置１の制御部２は、表示操作部５に出金取引等の取引選択ボタンを配した取引選択画面を表示する。
ＳＢ２、顧客が取引選択画面で出金取引の取引選択ボタンを押下すると、制御部２はその押下を認識して、表示操作部５にＩＣカードの挿入を促す文言やイラスト等を配した画面を表示する。
【００４３】
また、制御部２は記憶部４に記憶しているエラー回数をリセットして初期値の「０」にする。
顧客は、表示されている画面に従ってＩＣカードをカードリーダライタ部９のカード挿入返却口に挿入する。
ＳＢ３、カードリーダライタ部９がＩＣカードから登録指静脈情報を読み取ると、制御部２はその登録指静脈情報を記憶部４に記憶し、表示操作部５に生体情報取得部６に指を載せるように促す画面を表示する。
【００４４】
ＳＢ４、生体情報取得部６が載せられた顧客の指から指静脈情報を取得すると、制御部２は記憶部４から登録指静脈情報を読み出し、登録指静脈情報と取得した指静脈情報とを比較して一定以上の割合で一致しているか否かを判断し、一致している場合はステップＳＢ５に進み、一致していない場合はステップＳＢ７に移行する。
ＳＢ５、制御部２は、一致していると判断すると、表示操作部５に出金金額の入力を促す画面と入力のためのテンキー、出金金額入力欄等を配した出金金額入力画面を表示する。
【００４５】
顧客は出金金額入力画面に従って出金金額を入力する。
ＳＢ６、制御部２は、挿入されているＩＣカードから口座番号を読み取り、その口座番号と入力された出金金額とを付した出金取引指示をホストコンピュータ１５に送信することで、出金取引処理を通常通りに実行して終了する。
ＳＢ７、制御部２は、指静脈情報が登録指静脈情報と一致していないと判断すると、記憶部４に記憶したエラー回数と閾値を読み出し、エラー回数が閾値未満であるか否かを判断し、閾値未満の場合は次のステップＳＢ８に進み、エラー回数が閾値である場合はステップＳＢ９に移行する。
【００４６】
ＳＢ８、制御部２は、エラー回数に１を加算して表示操作部５に生体情報取得部６に指を載せるように促す画面を表示し、上記ステップＳＢ４に戻り再度指静脈情報と登録指静脈情報とが一致しているか否かを判断する。
ＳＢ９、エラー回数が閾値と同じであると判断した制御部２は、表示操作部５に偏光板部３１の偏光回転板３２を遮光位置まで回転させるように促す旨の画面を表示する。
【００４７】
ＳＢ１０、制御部２は、回転検出センサ３６によって偏光回転板３２が遮光位置まで回転したことを確認すると、再度生体情報取得部６に指を載せるように促すと共に、透過部４０から見て指が生体情報取得部６上に載っていることを視認するよう促す画面を表示する。
ここで、図１１は偏光板部による遮光の様子を示す説明図であって（ａ）は偏光回転板が初期位置での様子を示し、（ｂ）は偏光回転板を初期位置から略９０度回転させた様子を示している。
【００４８】
偏光回転板３２の回転前は図１１（ａ）に示すように偏光板部３０は光を透過するので、顧客は生体情報取得部６の位置を視認することができる。
そして、偏光回転板３２を回転させると、図１１（ｂ）に示すように偏光板部３０は光を透さないようになるが、顧客は透過部４０を透して生体情報取得部６と指の位置関係を視認し、指がずれないで生体情報取得部６に載せることができる。
【００４９】
ＳＢ１１、生体情報取得部６が載せられた顧客の指から指静脈情報を取得すると、制御部２はその指静脈情報と上記で読み出している登録指静脈情報とを比較して一定以上の割合で一致しているか否かを判断し、一致している場合は次のステップＳＢ１２に進み、一致していない場合はステップＳＢ１３に進む。
ＳＢ１２、制御部２は、表示操作部５に偏光回転板３２を初期位置に回転させるように促す画面を表示し、回転検出センサ３６によって偏光回転板３２が初期位置まで回転したことを確認してから、上記ステップＳＢ５に移行して表示操作部５に出金金額入力画面を表示する。
【００５０】
ＳＢ１３、制御部２は、表示操作部５に偏光回転板３２を初期位置に回転させるように促す画面を表示し、回転検出センサ３６によって偏光回転板３２が初期位置まで回転したことを確認してから、表示操作部５に顧客認証不可のため出金取引を中止する旨の画面を表示し、挿入された顧客のＩＣカードを返却して出金取引を終了する。
以上説明したように、本実施例は上記実施例３の効果に加えて、透過部を設けたことによって顧客の指が生体情報取得部からずれた位置に載っていて、指静脈情報を正確な状態で取得できないために顧客認証が不可となってしまう事態を防止することができる。
【実施例５】
【００５１】
なお、上記各実施例と同様の部分は同一の符号を付してその説明を省略する。
本実施例では、上記実施例３の遮光カバー３０の偏光板部３１の代わりに液晶板を備えた点が相違する。
図１２は実施例５の遮光カバーを示す説明図である。
図１２において、５０は液晶板であり、顧客から生体情報取得部６が見えるように光を透過させる透過状態と、遮光する遮光状態との切り替えを電圧調整によって行う機能を有する。
【００５２】
図１３は液晶板の状態を切り替えた様子を示す説明図であり、（ａ）は透過状態を示し、（ｂ）は遮光状態を示している。
上記の液晶板５０を設けたことによって、制御部２は、顧客が生体情報取得部６に指を載せるときには液晶板５０を図１３（ａ）に示す透過状態にして、上記実施例４のステップＳＢ７で顧客の指静脈情報が登録指静脈情報と一致しないことでエラー回数が閾値となった場合には、液晶板５０を図１３（ｂ）に示す遮光状態に切り替えて指静脈情報を取得するようにする。
【００５３】
以上説明したように、本実施例は上記実施例３と同様の効果に加えて、透過状態と遮光状態の切り替えを自動取引装置で行うので、その分顧客にとっての手間を省くことができる。
【実施例６】
【００５４】
本実施例では、上記実施例５に対して、液晶板５０における遮光状態とする範囲を例えば液晶板５０全体から、生体情報取得部６の真上に当たる箇所のみとするように制御する点が相違する。
そのため、記憶部４には、制御部２が液晶板５０による遮光する範囲を制御するための制御プログラムが格納されているものとする。
【００５５】
図１４は実施例６の液晶板の一部を遮光状態にした様子を示す説明図である。
本実施例では、液晶板５０の全面を遮光状態にした後に生体情報取得部６によって顧客の指静脈情報を取得し、その指静脈情報と登録指静脈情報とが一致していなかった場合に図１４に示すように液晶板５０の生体情報取得部６の上方だけを遮光状態にする。
そして、指が生体情報取得部６からずれないよう注意を促す画面を表示操作部５に表示する。
【００５６】
顧客は表示された画面に従い、液晶板５０の透過状態となっている箇所を透して指の位置と生体情報取得部６の位置関係を視認し、生体情報取得部６の上から外れていればその位置を正して指を生体情報取得部６に載せるようにする。
以上説明したように、本実施例は、上記実施例５と同様の効果に加えて、一部を遮光状態にすることで、顧客は自身の指と生体情報取得部との位置関係を視認可能となるので、顧客の指が生体情報取得部から外れた位置にあって、指静脈情報が十分に取得できないことが原因で顧客認証が不可となることを防止することができる。
【００５７】
なお、上記各実施例においては、生体情報取得部によって指静脈情報を取得した場合を例に説明したが、指静脈情報の代わりに生体情報としての手のひら静脈情報や指紋情報を生体情報取得部から取得するようにしてもよい。
また、上記各実施例においては、生体情報取得部から取得した生体情報を、取引カード内に記憶されている登録生体情報と比較し、一致するか否かを確認するようにしたが、比較する登録生体情報は取引カードに記憶する代わりに、ホストコンピュータ等の上位装置に記憶しておくようにしてもよい。
【図面の簡単な説明】
【００５８】
【図１】実施例１の自動取引装置を含む自動取引システムを示すブロック図
【図２】実施例１の自動取引装置を示す外観図
【図３】生体情報取得部の遮光カバーを示す説明図
【図４】実施例１の自動取引装置の動作を示すフローチャート
【図５】実施例２の自動取引装置の動作を示すフローチャート
【図６】実施例３の遮光カバーを示す説明図
【図７】回転検出機構を示す説明図
【図８】偏光板部による遮光の様子を示す説明図
【図９】実施例４の遮光カバーを示す説明図
【図１０】実施例４の自動取引装置の動作を示すフローチャート
【図１１】偏光板部による遮光の様子を示す説明図
【図１２】実施例５の遮光カバーを示す説明図
【図１３】液晶板の状態を切り替えた様子を示す説明図
【図１４】実施例６の液晶板の一部を遮光状態にした様子を示す説明図
【符号の説明】
【００５９】
１    自動取引装置
２    制御部
３    通信部
４    記憶部
５    表示操作部
６    生体情報取得部
７    現金入出金部
９    カードリーダライタ部
１０  通帳記帳部
１５  ホストコンピュータ
１７  通信回線
２０、３０  遮光カバー
２０ａ、３０ａ  側板
２０ｂ  上板
２１  カバー開閉検知センサ
３１  偏光板部
３１ａ  偏光板
３２  偏光回転板
３３  回転検出機構
３４  歯車部
３５  回転検出歯車
３６  回転検出センサ
３７  仕切り板
４０  透過部
５０  液晶板
【図１】
2009075935.tif 000003
【図２】
2009075935.tif 000004
【図３】
2009075935.tif 000005
【図４】
2009075935.tif 000006
【図５】
2009075935.tif 000007
【図６】
2009075935.tif 000008
【図７】
2009075935.tif 000009
【図８】
2009075935.tif 000010
【図９】
2009075935.tif 000011
【図１０】
2009075935.tif 000012
【図１１】
2009075935.tif 000013
【図１２】
2009075935.tif 000014
【図１３】
2009075935.tif 000015
【図１４】
2009075935.tif 000016